(57)【要約】【課題】無線タグ本体と発光体とを別体構造とすることにより、ユーザの利便性を向上する。【解決手段】無線タグ本体１と貼付発光体２とを備えた発光タグ装置１００において、無線タグ本体１は、貼付発光体２へ電源を供給する電源供給部１１と、ＩＣ回路部３とループアンテナ４を備えた無線タグ回路部５と、電源供給部１１に接続された本体側陽極端子６及び本体側陰極端子７を備え、貼付発光体２を取り付けるための発光体取付部１ａとを有し、貼付発光体２は、貼付基材８と、貼付基材８に設けた発光部２１と、発光部２１に接続された発光体側陽極９及び発光体側陰極１０と、発光体側陽極９及び発光体側陰極１０を本体側陽極端子６及び本体側陰極端子７にそれぞれ導通するようにしつつ、発光体取付部１ａの任意の位置に粘着可能な貼付部２ａとを有する。【選択図】図５
2011076137.tif 000002
【特許請求の範囲】
【請求項１】
無線タグ本体と、前記無線タグ本体に取り付け可能な発光体と
を備えた、発光タグ装置において、
前記無線タグ本体は、
情報を送受信するタグアンテナと、前記タグアンテナにより受信された情報に基づき前記給電部から前記発光体への給電を制御する制御部を設けたＩＣ回路部と、を備えた、無線タグ回路部と、
前記発光体及び前記ＩＣ回路部への電源供給を行うための給電部と、
前記給電部に接続された本体側陽極端子及び本体側陰極端子を備え、前記発光体を取り付けるための発光体取付部と
を有し、
前記発光体は、
基材と、
前記基材に設けた発光部と、
前記発光部に接続されるとともに、前記本体側陽極端子及び前記本体側陰極端子と互いに接触可能な形状に配設された発光体側陽極及び発光体側陰極と、
前記発光体取付部に粘着可能な粘着部と
を有する
ことを特徴とする発光タグ装置。
【請求項２】
請求項１記載の発光タグ装置において、
前記無線タグ本体に備えられた前記発光体取付部の、前記本体側陽極端子及び前記本体側陰極端子の延設方向における寸法を、前記発光体の前記延設方向に沿った寸法よりも長くした
ことを特徴とする発光タグ装置。
【請求項３】
請求項１又は請求項２記載の発光タグ装置において、
前記無線タグ本体に備えられた前記無線タグ回路部の前記ＩＣ回路部は、
情報を記憶する記憶部と、
前記タグアンテナにより受信された情報を復調する復調部と、
前記タグアンテナより送信するための情報を変調する変調部と、
前記タグアンテナにより受信された電波のエネルギを蓄積し、前記記憶部、前記復調部、及び前記変調部を含むＩＣ回路部全体に駆動電源を供給するとともに、前記発光部に給電可能な前記給電部と
を備えている
ことを特徴とする発光タグ装置。
【発明の詳細な説明】
【技術分野】
【０００１】
本発明は、外部と情報の無線通信が可能である無線タグとともに有機ＥＬ等の発光素子を備えた発光タグ装置に関する。
【背景技術】
【０００２】
近年、無線タグを物品に貼り付け、これをリーダライタにて読み取ることにより、物品の流通管理が行われている。例えば、特許文献１には、無線タグに発光素子等などの報知手段を設け、リーダライタにて特定の無線タグの報知手段を反応させることにより、所望の無線タグを容易に見つけ出せるようにした物品検索システムが提案されている。
【先行技術文献】
【特許文献】
【０００３】
【特許文献１】特開２００６−２４０１８号公報
【発明の概要】
【発明が解決しようとする課題】
【０００４】
上述したように、上記従来技術の無線タグには、記憶部を備えた無線タグ本体と、発光素子等とが備えられる。一般に、記憶部には、物品に関する情報や無線タグの識別情報が記憶される。記憶部は電子的に情報の読み書きを行うだけであるため、通常の使用態様であれば、比較的寿命は長い。一方、発光素子は、上記のような記憶部等と比べれば、寿命が短い場合が多い。しかしながら、上記従来技術では、無線タグ本体と発光素子とが一体不可分に構成されているため、短期間で寿命となる発光素子を交換するために、無線タグ全体を頻繁に交換する必要があり、不便であった。
【０００５】
また、一般に、タグアンテナの送受信可能な周波数帯域は、アンテナ素子の電気長に依存する。上記従来技術のように無線タグ本体と発光素子とが一体不可分の構造では、発光素子を配置するスペースの制約により無線タグ本体側で使用可能なスペースが限られるため、周波数帯域によっては十分なアンテナ素子の電気長を確保できないおそれがある。このため、周波数帯域が比較的狭い範囲となって無線タグとしての汎用性を十分に確保できず、不便であった。
【０００６】
本発明の目的は、無線タグ本体と発光体とを別体構造とすることにより、ユーザの利便性を向上できる発光タグ装置を提供することにある。
【課題を解決するための手段】
【０００７】
上記目的を達成するために、第１の発明は、無線タグ本体と、前記無線タグ本体に取り付け可能な発光体とを備えた、発光タグ装置において、前記無線タグ本体は、情報を送受信するタグアンテナと、前記タグアンテナにより受信された情報に基づき前記給電部から前記発光体への給電を制御する制御部を設けたＩＣ回路部と、を備えた、無線タグ回路部と、前記発光体及び前記ＩＣ回路部への電源供給を行うための給電部と、前記給電部に接続された本体側陽極端子及び本体側陰極端子を備え、前記発光体を取り付けるための発光体取付部とを有し、前記発光体は、基材と、前記基材に設けた発光部と、前記発光部に接続されるとともに、前記本体側陽極端子及び前記本体側陰極端子と互いに接触可能な形状に配設された発光体側陽極及び発光体側陰極と、前記発光体取付部に粘着可能な粘着部とを有することを特徴とする。
【０００８】
本願第１発明の発光タグ装置は、無線タグ回路部を備えた無線タグ本体と、発光部を備えた発光体とを有している。ユーザの使用時は、発光体を無線タグ本体に取り付けて用いる。発光体の無線タグへの取り付けは、発光体に備えられた粘着部が無線タグ本体の発光体取付部に粘着することにより、行われる。その取り付けの際には、発光部に接続された発光体側陽極及び発光体側陰極が、給電部に接続された本体側陽極端子及び本体側陰極端子にそれぞれ接触し、導通する。これにより、無線タグ回路部の動作に応じて、無線タグ本体の給電部からの電流が、本体側陽極端子及び本体側陰極端子と、発光体側陽極及び発光体側陰極とを介し、発光体の発光部に供給され、発光部が発光を行う。特に、無線タグ回路部への問いかけ信号に無線タグ回路部が応答するときに発光可能となり、ユーザが容易に視認可能となる。この結果、無線タグを用いた物品管理におけるユーザの利便性を向上することができる。
【０００９】
以上のように、無線タグ本体と発光体とを互いに粘着して結合させる、別体構造とすることにより、発光体側の制限を受けることなく無線タグ本体の大きさを大きくすることができる。一般に、タグアンテナの送受信可能な周波数帯域は、アンテナ素子の電気長に依存するが、無線タグ本体を大型化することで、タグアンテナの電気長を小さくしたり大きくしたり比較的自由に設定可能となる。これにより、タグアンテナの送受信可能な電波の周波数帯域を、比較的広範囲とすることができ、無線タグとしての汎用性が向上し、ユーザの利便性が向上する。また、金属物である無線タグ本体が大型化することにより、無線タグ本体を設置する設置対象物の剛性が向上する効果もある。
【００１０】
さらに、無線タグ本体と発光体とを別体構造とすることにより、発光体が寿命により消耗破損した場合には、発光体のみ交換すれば足り、発光タグ装置全体を交換する必要はない。また、無線タグ本体を設置対象物に取り付け、発光体は無線タグ本体に取り付ける構造とすることで、上記発光体の寿命到来の場合には、設置対象物に無線タグ本体を設置したままで発光体の交換作業を容易に行うことができる。これによっても、ユーザの利便性を向上することができる。
【００１１】
第２発明は、上記第１発明において、前記無線タグ本体に備えられた前記発光体取付部の、前記本体側陽極端子及び前記本体側陰極端子の延設方向における寸法を、前記発光体の前記延設方向に沿った寸法よりも長くしたことを特徴とする。
【００１２】
発光体取付部における所定の方向に沿って本体側陽極端子及び本体側陰極端子が延設されているとき、その延設方向に沿って長い寸法を備えた発光体取付部の任意の位置に、比較的短い寸法の発光体を自在に取り付けて発光させることができる。また、発光体取付部の長手方向のうちユーザが視認しやすい部位を適宜選択し、その選択した部位に発光体を取り付けることができる。特に、複数の設置対象物のそれぞれに無線タグ本体を取り付け、それら複数の設置対象物を配列して収納する場合には、各設置対象物ごとに発光体を取り付ける発光体取付部の部位を互いに変えることで、視認しやすいインデックスとして活用することができる。
【００１３】
第３発明は、上記第１又は第２発明において、前記無線タグ本体に備えられた前記無線タグ回路部の前記ＩＣ回路部は、情報を記憶する記憶部と、前記タグアンテナにより受信された情報を復調する復調部と、前記タグアンテナより送信するための情報を変調する変調部と、前記タグアンテナにより受信された電波のエネルギを蓄積し、前記記憶部、前記復調部、及び前記変調部を含むＩＣ回路部全体に駆動電源を供給するとともに、前記発光部に給電可能な前記給電部とを備えていることを特徴とする。
【００１４】
これにより、無線タグ回路部内に自己電源を持たなくても、受信された電波のエネルギを用いて発光部に給電を行い、発光させることができる。
【発明の効果】
【００１５】
本発明によれば、無線タグ本体と発光体とを別体構造とすることにより、ユーザの利便性を向上することができる。
【図面の簡単な説明】
【００１６】
【図１】本発明の実施形態に係る発光タグ装置を取り付けたクリアファイルの全体外観を表す上面図である。
【図２】貼付発光体を取り外して無線タグ本体の本体部を透視した透視図である。
【図３】貼付発光体の詳細構造を表す拡大上面図、図３（ａ）に示した構造を裏側から見た下面図、及び、貼付発光体の電気配線を説明する図である。
【図４】ＩＣ回路部とその周辺回路の機能的構成を表す機能ブロック図である。
【図５】発光タグ装置の使用例を示す説明図である。
【図６】発光体側陽極と発光体側陰極をそれぞれ円形に形成した変形例における、貼付発光体の外観を表す上面図である。
【発明を実施するための形態】
【００１７】
以下、本発明の一実施の形態を、図面を参照しつつ説明する。
【００１８】
図１は、本実施形態の発光タグ装置を取り付けたクリアファイルの全体外観を表す上面図である。
【００１９】
図１において、本実施形態の発光タグ装置１００は、例えば複数枚の紙から成る書類などを収納するクリアファイルＦに設けられている。この発光タグ装置１００は、無線タグ本体１と、発光体としての貼付発光体２とを有している。
【００２０】
図示する例では、無線タグ本体１はクリアファイルＦの長手方向のほぼ全域に渡って設けられており、そのうちクリアファイルＦの側方の開口縁部Ｆａに近い側の半分が発光体取付部１ａを構成し、他の半分が本体部１ｂを構成している。
【００２１】
貼付発光体２は、この例では全体が略矩形形状に形成されており、粘着部としての貼付部２ａと発光部２１とを有している。この貼付発光体２の貼付部２ａが、図示するように上記無線タグ本体１の発光体取付部１ａ上に適切に貼付した状態では、貼付発光体２の発光部２１だけがクリアファイルＦの側方の開口縁部Ｆａから突出する配置となる。
【００２２】
図２に、貼付発光体２を取り外して無線タグ本体１の本体部１ｂを透視した状態を示す。無線タグ本体１の本体部１ｂの内部には、ＩＣ回路部３と、タグアンテナとしてのループアンテナ４とが設けられており、これら２つが接続して無線タグ回路部５を構成している。
【００２３】
発光体取付部１ａには、本体側陽極端子６と本体側陰極端子７（以下適宜、単に「端子６，７」と総称する）とが設けられている。これら２本の端子６，７は、それぞれ適切な幅を有する導体金属線で構成されており、所定の間隔Ｄで離間した平行な配置で、クリアファイルＦの長手方向に沿いつつ長手方向全長に渡って発光体取付部１ａの表面に露出するよう設けられている。図示する例では、クリアファイルＦの側方の開口縁部Ｆａに近い方に本体側陰極端子７が配置し、本体部１ｂに近い方に本体側陽極端子６が配置しており、それぞれＩＣ回路部３に電気的に接続されている。
【００２４】
ＩＣ回路部３は、ループアンテナ４を介して後述するリーダと無線通信を行い、自己が記憶しているタグ識別情報（以下適宜、タグＩＤという）を含む信号を受信した際に、上記貼付発光体２の発光部２１を発光させる。
【００２５】
図３は上記図１中に示した貼付発光体２をそのままの姿勢で拡大した拡大上面図であり、図３（ｂ）は図３（ａ）に示した構造を裏側から見た下面図であり、図３（ｃ）は貼付発光体２の電気配線を示す図である。
【００２６】
図３（ａ）及び図３（ｂ）に示すように、本実施形態の貼付発光体２は、例えばＰＥＴ（ポリエチレンテレフタラート）からなる貼付基材８を備えている。この例では、貼付基材８のうち図中右側部分の表裏両面それぞれに発光部２１，２１が設けられている。そしてこれら２つの発光部２１，２１が設けられていない図示左側部分の貼付基材８が、貼付部２ａを構成している。
【００２７】
貼付部２ａの裏面には、図３（ｂ）に示すように、図中の上下方向の全域に渡って、２本の発光体側陽極９及び発光体側陰極１０（以下適宜、単に「電極９，１０」と総称する）が設けられている。これら２本の発光体側電極９，１０は、上記無線タグ本体１に設けられた端子６，７に電極９，１０がそれぞれ接触できるように、端子６，７間の間隔と同じ間隔Ｄで離間した平行な配置で基材８に配設されている。また、貼付部２ａの裏面のうち、上記電極９，１０が配設されている部分以外の領域には、図示しない適宜の粘着剤からなる粘着層が設けられている。
【００２８】
上記構成により、貼付部２ａの上記粘着層によって、貼付発光体２を図１に示すように無線タグ本体１の発光体取付部１ａ上に貼付することができ、また容易に取り外すこともできる。そして貼付発光体２を貼付した際、適切な姿勢及び配置で貼付されていれば、貼付発光体２に設けられた２つの電極９，１０が、無線タグ本体１に設けられた２つの端子６，７と、それぞれ対応する同じ極性どうしで接触し電気的に導通する状態となる。
【００２９】
ここで上記２つの発光部２１は、例えば公知の有機エレクトロルミネッセンス発光素子（以下、有機ＥＬ素子という）を用いることができる。図３（ｃ）に示すように、有機ＥＬ素子で構成される発光部２１は、発光層２１ａと、発光層２１ａの一方側に設けられる陰極層２１ｂと、発光層２１ａの他方側に設けられる陽極層２１ｃとを含む。
【００３０】
発光層２１ａは、有機ＥＬを含む層であり、陰極層２１ｂと陽極層２１ｃとの間に電圧が印加されることで発光する。有機ＥＬとしては、例えばポリパラフェニレンビニレン誘導体、ポリフルオレン誘導体、ポリチオフェン誘導体等の高分子発光材料、及び、テトラフェニルブタジエン（ＴＰＢ）、ペリレン、クマリン、ルブレン、ナイルレッド、４−ジシアノメチレン−２−メチル−６−ジメチルアミノスチリル−４−ピラン（ＤＣＭ）、４−ジシアノメチレン−６−シーピージュロリジノスチリル−２−ターシャルブチル−４Ｈ−ピラン（ＤＣＪＴＢ）、スクアリリウム、アルミニウム錯体（例えばＡｌＱ３）等の低分子系材料を用いることができる。
【００３１】
なお、発光層２１ａの陰極層２１ｂに接する面には、図示されない電子注入層が設けられる。電子注入層は、オキサジゾール誘導体、トリアゾール系、及びアルミニウム錯体のいずれかを用いることができる。
【００３２】
陰極層２１ｂは、例えばアルミニウム（Ａｌ），フッ化リチウム（ＬｉＦ），ＡｌとＣａとの積層，ＡｌとＬｉＦとの積層及びＡｌとＢａとの積層等で構成することができる。陰極層２１ｂは、陰極層２１ｂと陽極層２１ｃとの間に電圧が印加されることで、上記電子注入層を介して発光層２１ａに電子を注入する。
【００３３】
陽極層２１ｃは、例えば透明電極用の材料であるインジウムチタンオキサイド（ＩＴＯ）又はポリエチレンジオキシチオフェン（ＰＥＤＯＴ）で構成することができる。陽極層２１ｃは、陰極層２１ｂと陽極層２１ｃとの間に電圧が印加されることで、発光層２１ａに正孔を注入する。
【００３４】
このように有機ＥＬ素子で構成される２つの発光部２１，２１は、貼付発光体２において、それぞれの陰極層２１ｂを貼付基材８に貼り付け、それぞれ陽極層２１ｃを表面側に配置して外部に露出させている。また２つの発光部２１，２１は、それぞれの陽極層２１ｃが貼付発光体２の発光体側陽極９に電気的に接続され、それぞれの陰極層２１ｂが貼付発光体２の発光体側陰極１０に電気的に接続されている。
【００３５】
このように構成された貼付発光体２が、図１に示すように適切な姿勢及び配置で無線タグ本体１の発光体取付部１ａ上に貼付した状態では、２つの発光部２１のそれぞれの陰極層２１ｂと陽極層２１ｃが、各電極９，１０及び各端子６，７を介して上記ＩＣ回路部３に正しい極性で電気的に接続される。このとき、無線タグ本体１の発光体取付部１ａのファイル長手方向、言い換えれば上記端子６，７の延設方向における２つの端子６，７の寸法Ａ（図２参照）は、貼付発光体２の貼付部２ａにおける上記ファイル長手方向における２つの電極９，１０の寸法Ｂ（図３（ｂ）参照）と比較して長くなっている。この結果、貼付発光体２は、図１中の上下方向におけるどの位置でも同じ電気接続状態で発光体取付部１ａに貼付することができる。つまり、貼付発光体２は、クリアファイルＦの長手方向に対して高い自由度で貼付配置することができるのである。
【００３６】
図４は、ＩＣ回路部３とその周辺回路の機能的構成を表す機能ブロック図である。
【００３７】
ＩＣ回路部３は、給電部としての電源供給部１１と、復調部１２と、変調部１３と、制御部１４とを備えている。またこのＩＣ回路部３は、特に上記図１〜図３に示していないコンデンサ１６と、上記ループアンテナ４とを並列に接続している。なお、図中においてはループアンテナ４をコイルのシンボルで表している。また、図中では発光部２１を一つだけを示しており、２つの電極９，１０及び２つの端子６，７を介して制御部１４と電気的に接続し、制御部１４からの制御信号に基づいて発光及び消光を切り替え可能としている。
【００３８】
電源供給部１１は、この例ではループアンテナ４を介して受信した質問波のエネルギを蓄積し、そのエネルギをＩＣ回路部３及び発光部２１の駆動電源とする無線給電を行う。
【００３９】
制御部１４は、上記復調部１２及び変調部１３等を介し、上記ＩＣ回路部３の作動を制御するとともに、当該ＩＣ回路部３の外部に設けた発光部２１の発光及び消光の切り替えを制御する。
【００４０】
復調部１２は、ループアンテナ４により受信された、後述のリーダのリーダアンテナからの質問波を復調する（後述の図５参照）。
【００４１】
変調部１３は、上記制御部１４からの返信信号を変調し、ループアンテナ４より応答波、すなわちタグＩＤを含む信号として、送信する。
【００４２】
制御部１４は、その内部に所定の情報信号を記憶する記憶部１５を備えており、この記憶部１５には当該ＩＣ回路部３の個体を特定するためのタグＩＤを記憶するＩＤ記憶領域１５ａが設けられている。この制御部１４は、上記復調部１２により復調された受信信号を解釈し、上記記憶部１５において記憶された情報信号に基づいて返信信号を生成する。そして、上記変調部１３が、当該返信信号を、上記ループアンテナ４を介し送信する。また、制御部１４は、自己のタグＩＤが含まれている質問波の受信信号を上記復調部１２から受け取った際には、発光部２１が発光するように、電源供給部１１から発光部２１への給電を制御する。
【００４３】
また、ＩＣ回路部３の外部に接続しているコンデンサ１６は、ループアンテナ４が電波を受信した際に発生するノイズを除去するためのバイパスコンデンサとして機能する。
【００４４】
ユーザは、上記のように構成した本実施形態の発光タグ装置１００をクリアファイルＦに設け、クリアファイルに収納させた紙書類などに対しＩＣ回路部３のタグＩＤを対応付けることで、物品管理を行うことができる。
【００４５】
図５は、上記構成の本実施形態の発光タグ装置１００の使用例を示す説明図である。図５に示す例では、上記のように紙書類を収納した複数のクリアファイルＦが、立った状態で配列されている。またこの例では、各貼付発光体２は、互いに重ならないように、それぞれ上下方向の配置位置が互いに異ならせて貼付されている。この状態では、通常の場合、図示の最も手前側のクリアファイルＦ以外は、どのクリアファイルＦにどの書類が収納されているか見分けることが困難である。
【００４６】
しかしながら、本実施形態においては、上記無線タグ回路部５と無線通信が可能なリーダ２００を用い、目的の書類に対応するタグＩＤを含む質問波を発光指示信号としてリーダアンテナ２０１から送信することにより、当該タグＩＤに対応する発光タグ装置１００の発光部２１だけを発光させることができ、ユーザが容易に視覚的に識別することができる。特に、照明がなく周囲が暗い場合には、有効である。これにより、物品管理におけるユーザの利便性を向上することができる。
【００４７】
そして、本実施形態の発光タグ装置１００では、無線タグ本体１と貼付発光体２とを互いに粘着して結合させる、別体構造としている。これにより、貼付発光体２側の制限を受けることなく無線タグ本体１の大きさを大きくすることができるので、下記のような効果がある。すなわち、一般に、ループアンテナ４の送受信可能な周波数帯域は、アンテナ素子の電気長に依存するが、無線タグ本体１を大型化することで、ループアンテナ４の電気長を小さくしたり大きくしたり比較的自由に設定可能となる。これにより、ループアンテナ４の送受信可能な電波の周波数帯域を、比較的広範囲とすることができ、無線タグとしての汎用性が向上し、ユーザの利便性が向上する。また、金属物である無線タグ本体１が大型化することにより、無線タグ本体１を設置する設置対象物であるクリアファイルＦの剛性が向上する効果もある。
【００４８】
さらに、無線タグ本体１と貼付発光体２とを別体構造とすることにより、貼付発光体２が寿命により消耗破損した場合には、貼付発光体２のみ交換すれば足り、発光タグ装置１００全体を交換する必要はない。また、無線タグ本体１をクリアファイルＦに取り付け、貼付発光体２は無線タグ本体１に取り付ける構造とすることで、上記貼付発光体２の寿命が到来した場合には、クリアファイルＦに無線タグ本体１を設置したままで貼付発光体２の交換作業を容易に行うことができる。これによっても、ユーザの利便性を向上することができる。
【００４９】
また、本実施形態では特に、無線タグ本体１の発光体取付部１ａの上記寸法Ａを、貼付発光体２の上記寸法Ｂよりも長く設定している。これにより、比較的長い長手方向寸法Ａを備えた発光体取付部１ａの任意の位置に、比較的短い寸法Ｂの貼付発光体２を自在に取り付けて発光させることができる。また、発光体取付部１ａの長手方向のうちユーザが視認しやすい部位を適宜選択し、その選択した部位に貼付発光体２を取り付けることができる。特に、図５に示したように、複数のクリアファイルＦのそれぞれに無線タグ本体１を取り付け、それら複数のクリアファイルＦを配列して収納する場合には、各クリアファイルＦごとに貼付発光体２を取り付ける発光体取付部１ａの部位を互いに変えて、視認しやすいインデックスとして活用することができる。
【００５０】
また、本実施形態では特に、電源供給部１１は、ループアンテナ４により受信された電波のエネルギを蓄積してＩＣ回路部３全体及び発光部２１に駆動電源を供給する無線給電を行う。これにより、無線タグ回路部５内に自己電源を持たなくても、受信された電波のエネルギを用いて発光部２１に給電を行い、発光させることができる。
【００５１】
なお、上記図３（ｂ）に対応する図６に示すように、貼付発光体２Ａの貼付部２ａにおける発光体側陽極９Ａ及び発光体側陰極１０Ａを、それぞれ円形に形成してもよい。この場合、貼付発光体２Ａの発光体取付部１ａへの貼付方向が多少傾いても、各電極９，１０と各端子６，７とを正しい極性で電気的に接続することができる。その際、特に、各電極９Ａ，１０Ａの直径Ｄ′を、上記図２に示した端子６，７間の離間距離Ｄより小さい寸法に設定すれば、貼付発光体２Ａをどのような姿勢・配置で発光体取付部１ａに貼付しても、端子６，７間における短絡を確実に防ぐことができる。
【００５２】
なお、以上において、図４に示す矢印は信号の流れの一例を示すものであり、信号の流れ方向を限定するものではない。
【００５３】
また、以上既に述べた以外にも、上記実施形態や各変形例による手法を適宜組み合わせて利用しても良い。
【００５４】
その他、一々例示はしないが、本発明は、その趣旨を逸脱しない範囲内において、種々の変更が加えられて実施されるものである。
【符号の説明】
【００５５】
１                無線タグ本体
１ａ              発光体取付部
１ｂ              本体部
２，２Ａ          貼付発光体（発光体）
２ａ              貼付部
３                ＩＣ回路部
４                ループアンテナ（タグアンテナ）
５                無線タグ回路部
６                本体側陽極端子
７                本体側陰極端子
８                貼付基材（基材）
９，９Ａ          発光体側陽極
１０，１０Ａ      発光体側陰極
２１              発光部
１００            発光タグ装置
Ｆ                クリアファイル
【図１】
2011076137.tif 000003
【図２】
2011076137.tif 000004
【図３】
2011076137.tif 000005
【図４】
2011076137.tif 000006
【図５】
2011076137.tif 000007
【図６】
2011076137.tif 000008